(57)【特許請求の範囲】
【請求項１】
基板上に、塗布具容器底部に設けられた互に噛合する供給ギアと巻取りギアの各軸にそれぞれ対応して嵌合する軸を有する供給リールと巻取りリールを配設し、その供給リールに巻回された未使用の転写テープを、基板に設けられるテープ案内ピンを介して巻回し、巻取りリールに巻回させてなるカートリッジを、塗布具容器の開閉自在とされる上記容器の上蓋部より上記容器内に収容し、上蓋部内に外部から前後方向に摺動自在に操作できる転写ヘッドにを取り付け、転写ヘッド先端により、前記カートリッジ内の転写テープを内側より押圧して塗布具容器先端部外側へ突出させてなる塗布具。
【請求項２】
転写ヘッドの突出により上蓋部の開閉部分の屈曲を阻止して開閉がロックされ、後退により転写ヘッドによるロックを解いて上蓋部の開閉が自由となる請求項１記載の塗布具。
【発明の詳細な説明】
【０００１】
【産業上の利用分野】
この発明は、塗布具、特に塗布具容器内に内蔵する糊或は修正塗膜転写テープ（以下「転写テープ」という。）により接着或は紙面等の修正ができるようにしてなる塗布具に関する。
【０００２】
【従来の技術】
従来、塗布具、特に塗布具本体内に内蔵する転写テープにより接着或は修正してなる塗布具における転写テープ送出、巻取り機構は、塗布具容器と一体となっており、当初に供給リールに巻回された転写テープが全て使用済みとなって巻取りリールに巻回されてしまうと、以後、塗布具の機能を回復することはできず、塗布具全体を廃棄しなければならない欠点があった。
【０００３】
そして、転写テープさえ交換できるならば、塗布具の容器自体は複数回の使用に耐えうるものであることから、一般利用者において容易に転写テープの交換が行える構造のものが提案され、その転写テープの交換を容易に行いうる構造として、基板に転写ヘッドや各ギア並びに転写テープを含め全ての転写テープ送給、巻取り機構を配設してカートリッジとした上、その基板の先端側を塗布具容器の後方から嵌入し、塗布具容器の先端から基板の先端に設けられた転写テープを巻回した転写ヘッドを突出させるとともに、基板と塗布具容器とを係止してなる塗布具が提案された。
【０００４】
【発明が解決しようとする課題】
しかしながら、上記従来のものにおいては、転写テープ送出、巻取り機構全体を具えた基板を塗布具容器に嵌入させるため、その嵌入に際して転写テープの弛みや捩じれを生じないように、基板の外側にガイド等を設けておく必要があり、余分な構成を必要として製造工程におけるコストを上昇させるとともに、転写ヘッドや各ギア自体も一個のカートリッジの中に組み込まれているので、転写テープを交換した際に再利用できるのは、塗布具容器のみとなり、リサイクルにおける経済性を損なうという欠点があった。
【０００５】
そこで、この発明は上記従来のものの有する欠点を改善するものであり、塗布具の交換用カートリッジの製造コストを減少させるとともに、塗布具容器だけでなく転写ヘッドや各ギアをも再利用可能として、リサイクルにおける経済性を向上させようとするものである。
【０００６】
【課題を解決するための手段】
そのために、転写テープの交換を可能とするカートリッジ方式の塗布具において、塗布具容器とは別体の基板上に、塗布具容器底部に設けられた互に噛合する供給ギアと巻取りギアの各軸にそれぞれ対応して嵌合する軸を有する供給リールと巻取りリールを配設し、その供給リールに巻回された未使用の転写テープを、基板の先端側に設けられるテープ案内ピンを介して巻回し、巻取りリールに巻回してなるカートリッジを、塗布具容器の開閉自在とされる上蓋部より上記容器内に収容し、上蓋部内に上記容器外側からその前後方向に摺動自在に操作できる転写ヘッドを取り付け、転写ヘッドの先端により前記カートリッジ内の転写テープを押圧して塗布具容器先端部外側へ突出させてなるものである。
【０００７】
【作用】
上記構成を具えるので、塗布具容器外側から操作して転写ヘッドを基底部側へ摺動させて、転写ヘッドによる転写テープへの押圧を解除した上、上蓋部を塗布具容器底部から開放して基板等により構成されるカートリッジを塗布具容器から取り出し、新たな基板等により構成されるカートリッジを塗布具容器内に載置し、その底部に設けられた供給ギアの軸に供給リールの軸を、又、巻取りギアの軸に巻取りリールの軸をそれぞれ嵌合させた上、上蓋部を塗布具容器底部に着装して係合固定し、塗布具容器外側から操作して転写ヘッドを先端部側へ摺動させて、転写ヘッドにより転写テープを押圧して塗布具容器の先端へ突出させることによって転写テープを交換することができ、転写テープのカートリッジの交換が容易であるとともに、カートリッジは最低限度の部材のみにより構成されて、その製造コストを低減させることができ、更に、リサイクル可能な部材を増加させることによって、リサイクルにおける経済性をも向上させることができる。
【０００８】
【実施例】
この発明を図に示す実施例により更に説明する。（１）はこの発明の実施例である塗布具であり、（２）は容器であり、（３）上蓋部であって、蝶番（４）によって連結された２部材に分かれ、その前部上蓋部（３ａ）は容器（２）に固定され、蝶番（４）は塗布具（１）の前後方向に対して直交して設けられ、後部上蓋部（３ｂ）は前記蝶番（４）により容器（２）に対して開閉自在となり、閉鎖した場合には係合固定できるようになっている。この蝶番（４）は必要により係合爪を後部上蓋部（３ｂ）に設けてこれに代えることができ、また、後部上蓋部（３ｂ）後端に適宜容器（２）と結合できる金具を取り付け上蓋部（３）の閉鎖時、これを固定することもできる。（５）は窓部であって後部上蓋部（３ｂ）を貫通して前後方向に、後述する転写ヘッド（７）の長さよりも長く設けられ、（６）はロックボタンであって、その容器側は転写ヘッド（７）と連結し、又、その上端は窓部（５）から後部上蓋部（３ｂ）外側へ突出しており、それを窓部（５）に沿って前後方向に摺動させることにより、転写ヘッド（７）を前後に摺動させることができる。なお、窓部（５）の幅はロックボタン（６）の幅と略等しく、ロックボタン（６）と窓部（５）とはある程度の係合関係を保持する。すなわち、転写ヘッド（７）を突出した状態で塗布しても、容易に転写ヘッド（７）が後退することのない程度の係合状態を保持することである。
【０００９】
（８）は基板であって、容器（２）や上蓋部（３）とは別体であり（必要に応じ紙製とすることもできる。）、その上に互に噛合する供給リール（９）と巻取りリール（１０）が配設された上、供給リール（９）に巻回された転写テープ（１１）が基板（８）上に設けられたテープ案内ピン（１２）を巻回して巻取りリール（１０）に巻回されることによって１個のカートリッジ（１３）が構成される。その際、転写テープ（１１）は供給リール（９）を基点として基板（８）先端側へ延伸され、基板（８）先端側下部に設けられた第１テープ案内ピン（１２ａ）により基板（８）の前後方向に対して略直交するよう屈曲され、更に、基板（８）先端側上部に設けられた第２テープ案内ピン（１２ｂ）により基板（８）の前後方向に対して略水平方向となるよう屈曲され、更に、巻取りリール（１０）手前に設けられた第３テープ案内ピン（１２ｃ）により巻取りリール（１０）の巻き取り方向に適応するよう方向決めがなされた上、巻取りリール（１０）に巻回される。（１４）は供給リール軸であって、基板（８）を貫通する中空の軸であり、カートリッジ（１３）を容器（２）に収納した際、容器（２）底部に設けられた供給ギア（１５）の供給ギア軸（１６）が嵌合し、供給リール（９）と供給ギア（１５）とを同軸とする。
【００１０】
（１７）は巻取りリール軸であって、供給リール軸（１４）同様に基板（８）を貫通する中空の軸であり、カートリッジ（１３）を容器（２）に収納した際、容器（２）に設けられた巻取りギア（１８）の巻取りギア軸（１９）が嵌合し、巻取りリール（１０）と巻取りギア（１８）とを同軸とする。そして、供給ギア（１５）と巻取りギア（１８）とは互いに噛合するよう位置決めがなされている。（２０）は巻戻しボタンであり、巻戻しボタン（２０）を回動することによりこれと係合する供給リール（９）が回動して、転写テープ（１１）は供給リール（９）のまわりに引き締めるように巻回される。
【００１１】
この発明は上記の構成を具えるので、塗布具（１）の使用によって供給リール（９）に巻回されていた転写テープ（１１）が全て巻取りリール（１０）へ移行し、それ以上の使用が不能となった場合のように、転写テープ（１１）の交換が必要になった場合には、以下の操作を行うことによって容易に交換することができるようになる。すなわち、先ず、上蓋部（３）の窓部（５）から突出しているロックボタン（６）を窓部（５）に沿って後退させる。次に、後部上蓋部（３ｂ）と容器（２）との係合を解除し、蝶番（４）を基点として後部上蓋部（３ｂ）を開放し、容器（２）に収納されているカートリッジ（１３）を取り出し、供給リール（９）に転写テープ（１１）を十分に巻回した新たなカートリッジ（１３）を容器（２）内に収納する。その際、供給リール軸（１４）に供給ギア軸（１６）を、巻取りリール軸（１７）に巻取りギア軸（１９）をそれぞれ嵌合させる。そして、後部上蓋部（３ｂ）を蝶番（４）を基点として閉鎖し、容器底部（２）と係合固定すると、後部上蓋部（３ｂ）に係止された転写ヘッド（７）は、第１及び第２テープ案内ピン（１２ａ）（１２ｂ）の中間且つ後方に位置するので、ロックボタン（６）を窓部（５）に沿って前進させると、それに伴って転写ヘッド（７）が先端側へ摺動し、転写テープ（１１）の第１及び第２テープ案内ピン（１２ａ）（１２ｂ）に係止された部分を塗布具（１）の先端側へ押圧し、最終的に、転写ヘッド（７）は転写テープ（１１）をその先端部に巻回した状態で塗布具（１）先端部から突出して係合固定され、転写テープ（７）の交換作業が終了する。
【００１２】
【発明の効果】
以上の通り、簡単な構成でカートリッジの交換、すなわち転写テープの交換を容易に行うことができ、しかもカートリッジに組み込まれる部材数を減少させることができ単なる部材数の減少以上にカートリッジの製造コストを低減することができ、又、再利用しうる部材数を増加させうることから、リサイクルにおける経済性をも向上させることができ、更に、転写ヘッドを塗布具容器に対して出没自在とすることから、非使用時には転写ヘッドを塗布具容器内に没入させることにより、転写テープをも塗布具容器内に収納することができ、転写テープによる周辺の不必要な汚損や転写テープの転写力の減少を防止することができるという優れた効果を有するものである。
【図面の簡単な説明】
【図１】この発明の実施例である塗布具の外観斜視図である。
【図２】図１における上蓋部のみを省略した平面図である。
【図３】図２（上蓋部を附加）のＡ−Ａ’における縦断面図である。
【図４】この発明の実施例におけるカートリッジの平面図である。
【符号の説明】
１  塗布具
２  容器
３  上蓋部
３ａ  前部上蓋部
３ｂ  後部上蓋部
４  蝶番
５  窓部
６  ロックボタン
７  転写ヘッド
８  基板
９  供給リール
１０  巻取りリール
１１  転写テープ
１２  テープ案内ピン
１２ａ  第１テープ案内ピン
１２ｂ  第２テープ案内ピン
１２ｃ  第３テープ案内ピン
１３  カートリッジ
１４  供給リール軸
１５  供給ギア
１６  供給ギア軸
１７  巻取りリール軸
１８  巻取りギア
１９  巻取りギア軸
２０  巻戻しボタン
【図１】
0003548936.tif 000002
【図２】
0003548936.tif 000003
【図３】
0003548936.tif 000004
【図４】
0003548936.tif 000005